(57)【要約】【課題】ＭＲＩ装置が設置された室内のような強い磁場が発生する場所おいても飛翔しない鋏を提供する。【解決手段】本発明は、刃体１２およびグリップ部１３を含む一対の鋏片１０と、一対の鋏片１０を回動可能に連結する軸体１１と、を備えた医療用鋏１に関する。一対の鋏片１０および軸体１１は、常温において、それぞれ非磁性もしくは弱磁性特性を示す材料によって形成されている。グリップ部１３および軸体１１は、たとえばアルミニウムにより形成されている。刃体１２は、たとえばジルコニアセラミックスにより形成されている。【選択図】図２
2010172572.tif 000002
【特許請求の範囲】
【請求項１】
刃体およびグリップ部を含む一対の鋏片と、
前記一対の鋏片を回動可能に連結する軸体と、
を備えた医療用鋏において、
前記一対の鋏片および前記軸体は、常温において、非磁性もしくは弱磁性特性を示す材料によって形成されている、医療用鋏。
【請求項２】
前記刃体は、ジルコニアセラミックスにより形成されている、請求項１に記載の医療用鋏。
【請求項３】
前記グリップ部は、アルミニウムにより形成されている、請求項１に記載の医療用鋏。
【請求項４】
前記グリップ部は、マグネシウムまたはシリコンを含んでいる、請求項３に記載の医療用鋏。
【請求項５】
前記軸体は、アルミニウムにより形成されている、請求項１に記載の医療用鋏。
【請求項６】
前記軸体は、マグネシウムまたはシリコンを含んでいる、請求項５に記載の医療用鋏。
【請求項７】
前記一対の鋏片が閉じた状態において、前記一対の鋏片の先端部同士の間に凹状のガイド部が形成される、請求項１に記載の医療用鋏。
【請求項８】
前記ガイド部は、幅寸法が前記刃体の先端に向かうにつれて大きくなる、請求項７に記載の医療用鋏。
【請求項９】
前記刃体における先端部の内側の領域は、曲線状を成している、請求項７に記載の医療用鋏。
【請求項１０】
前記刃体は、切刃部と、非切刃部とから成り、
前記ガイド部は、前記非切刃部により構成されている、請求項７に記載の医療用鋏。
【発明の詳細な説明】
【技術分野】
【０００１】
本発明は、医療現場において、包帯などを切断するために用いる医療用鋏に関するものである。
【背景技術】
【０００２】
一般的な鋏は、刃部およびそれに連続する把持部を有する一対の鋏片を、刃部と把手部との間において、支軸を介して回動可能に連結した構造を有している。通常、鋏片や支軸は、強磁性材料により形成されている。
【０００３】
医療現場においても種々の鋏が用いられており、その一例として、包帯、湿布、あるいは粘着テープなどの比較的に厚みの小さいものを切断するために使用されるものがある。このような用途に使用される医療用鋏は、看護師などの医療従事者がポケットに収容して携帯されることがある。
【０００４】
一方、医療現場においては、ＭＲＩ装置が普及してきている。ＭＲＩ装置は、強力な磁場を発生するものである。そのため、ＭＲＩ装置が設置された室内に鋏を持ち込むと、ＭＲＩ装置の磁場によって鋏に磁力が印加される。この場合、鋏の一部（それがたとえ支軸のみであっても）でも強磁性材料に形成されていれば、磁力によって鋏が室内を飛翔して非常に危険であるという問題があった。したがって、一般的には、ＭＲＩ装置が設置された室内のような強い磁場のかかる室内においては、ハサミ等の切断器具は持ち込み禁止となっているケースが多い。しかしながら、医療従事者が誤って強い磁場が生じている室内に鋏を持ち込む危険性を完全に排除するのは困難である。
【先行技術文献】
【特許文献】
【０００５】
【特許文献１】特開２００６−１８１０３６号公報
【特許文献２】特開２００８−００５８９６号公報
【発明の概要】
【発明が解決しようとする課題】
【０００６】
本発明は、ＭＲＩ装置が設置された室内のような強い磁場が発生する場所おいても飛翔しない鋏を提供することを課題としている。
【課題を解決するための手段】
【０００７】
本発明は、刃体およびグリップ部を含む一対の鋏片と、前記一対の鋏片を回動可能に連結する軸体と、を備えた医療用鋏に関する。
【０００８】
前記一対の鋏片および前記軸体は、常温において、非磁性もしくは弱磁性特性を示す材料によって形成されている。
【０００９】
前記刃体は、たとえばジルコニアセラミックスにより形成されている。
【００１０】
前記グリップ部は、たとえばアルミニウムにより形成されている。前記グリップ部は、マグネシウムまたはシリコンを含んでいるのが好ましい。
【００１１】
前記軸体は、たとえばアルミニウムにより形成されている。前記軸体は、マグネシウムまたはシリコンを含んでいるのが好ましい。
【００１２】
本発明に係る鋏は、前記一対の鋏片が閉じた状態において、前記一対の鋏片の先端部同士の間に凹状のガイド部が形成されるものであってもよい。
【００１３】
前記ガイド部は、たとえば幅寸法が前記刃体の先端部に向かうにつれて大きくなっている。前記刃体における先端部の内側の領域は曲線状を成しているのが好ましい。
【００１４】
前記刃体は、切刃部および非切刃部から成る。前記ガイド部は、前記非切刃部により構成されているのが好ましい。
【発明の効果】
【００１５】
本発明に係る鋏は、前記一対の鋏片および前記軸体が常温において非磁性もしくは弱磁性特性を示す材料によって形成されている。そのため、鋏全体が非磁性体もしくは弱磁性体となっている。その結果、ＭＲＩ室等のような大きな磁場が発生する室内においても、高磁場に起因する鋏の飛翔を抑制することができる。したがって、本発明では、高磁場の室内に鋏を持ち込んだ場合の危険性を低減することが可能となる。
【図面の簡単な説明】
【００１６】
【図１】本発明に係る鋏にストラップを装着した状態で透明ケースに収容した状態を示す平面図である。
【図２】本発明に係る鋏にストラップを装着した状態（透明ケースから取り出した状態）の平面図である。
【図３】図３（a）は図２に示した鋏が開いた状態での先端部を拡大して示した平面図であり、図３（ｂ）は図２に示した鋏が閉じた状態での先端部を拡大して示した平面図である。
【図４】図３（ｂ）をさらに拡大して示した平面図である。
【発明を実施するための形態】
【００１７】
図１に示したように、本発明に係る鋏１は、一例において、透明ケース２に収容した状態で持ち運び可能とされる。
【００１８】
透明ケース２は、収容部２０およびジッパ２１を備えている。
【００１９】
収容部２０は、透明樹脂などにより形成された一対のシート２２を、上縁２３を除いて周縁において接着して袋状に形成したものである。この収容部２０における上縁２３は、一対のシート２２が互いに接着されていないため開口を形成可能であり、この開口を利用して収容部２０に鋏１を収容し、あるいは収容部２０から鋏１を取り出すことができる。
【００２０】
ジッパ２１は、収容部２０における上縁２３に形成された開口の開閉状態を選択可能とするものである。ジッパ２１としては、公知の種々のものを使用することができ、たとえば図示したようにスライダ２４を移動させることによりファスナ２５を開閉するように構成されたものを適用することができる。
【００２１】
透明ケース２に鋏１を収容した状態では、鋏１に直接手を触れることなく鋏１の持ち運び可能であるため、不容易に鋏１に触れてしまう可能性が低減される。そのため、鋏１の持ち運び時における安全性を確保することができる。また、後述のように、鋏１は、ストラップ３を装着して使用されることもあるが、透明ケース２にストラップ３とともに鋏１を収容しておけば、嵩張ることなく衣服のポケットなどへ鋏１を収容して携帯することができる。
【００２２】
鋏１は、医療用として、たとえば包帯、湿布、あるいは粘着テープなどの比較的に厚みの小さいものを切断するために使用されるものである。図２に示したように、鋏１は、一対の鋏片１０および軸体１１を備えており、全体が非磁性あるいは弱磁性特性を示す材料により形成されている。
【００２３】
本発明において、「非磁性体材料」という場合には常温（２５℃）における比磁化率が−１０−７〜−１０−３である材料を意味し、「弱磁性体材料」という場合には常温（２５℃）における比磁化率が１０−３〜１０−７である材料を意味しているものとする。
【００２４】
鋏片１０は、軸体１１を支点として回動可能なものであり、刃体１２およびグリップ部１３を有している。
【００２５】
刃体１２は、対象物を切断する部分であり、グリップ部１３を操作することによって図３（ａ）および図３（ｂ）に示したように先端部１４が開閉可能とされている。この刃体１２は、常温（たとえば２５℃）において非磁性もしくは弱磁性特性を示す材料により形成されている。刃体１２を形成するために非磁性あるいは弱磁性材料としては、たとえばジルコニア、アルミナなどのセラミックス、あるいは、チタニウムなどの金属材料を挙げることができる。刃体１２は、例示した材料のうち、ジルコニアセラミックスにより形成するのが好ましい。刃体１２をジルコニアセラミックスにより形成すれば、刃体１２の強度（耐久性）を適切に維持しつつ、刃体１２ひいては鋏１の全体の軽量化を図ることができる。
【００２６】
図３（ａ）、図３（ｂ）および図４に示したように、刃体１２は、先端部１４が丸みを帯びている。そのため、図３（ｂ）に示したように、刃体１２（鋏片１０）を閉じた状態において、一対の鋏片１０の先端部同士の間に凹状のガイド部１５が形成される。このガイド部１５は、図４に示したように幅寸法Ｗが刃体１２（鋏片１０）の先端に向かうにつれて幅広となっているとともに、刃体１２における先端部１４の内側の領域は曲線状を成している。ガイド部１５に幅寸法Ｗは、たとえば最大幅の部分において、１〜３ｍｍとされる。
【００２７】
このように、凹状のガイド部１５が設けられているため、鋏片１０を開くことなく包帯等の切断対象物４に対して位置決めができ、作業性および安全性が向上する。本実施形態においては、ガイド部の幅が先端に向かうにつれて幅広となっているため、切断対象物４をガイド部１５内に特に挿入しやすい。さらに、本実施形態においては、ガイド部１５の内側の領域が曲線状となっているため、ガイド部１５に挿入された切断対象物４が先端部側から鋏片１０の支点側に向かって滑らかに案内され、切断の作業性が良好となる。
【００２８】
図２に示したように、刃体１２は、切刃部１６および非切刃部１７を含んでいる。切刃部１６は、鋭利なエッジを有するものであり、刃体１２の内側において一連に延びるように形成されている。この切刃部１６は、図３（ａ）および図３（ｂ）に示したように刃体１２の先端部（丸みを帯びた部分）には形成されておらず、刃体１２の先端部１４は非切刃部１７とされている。そのため、図３（ｂ）および図４に示したように、ガイド部１５は、刃体１２の先端部１４を閉じた状態において非切刃部１７により構成されるため、鋏１が閉じている状態における怪我の発生を抑制することができる。また、刃体１２の先端部１４が丸みを帯びていれば、鋏１が開いている状態（図３（ａ）参照）においても、鋏１による怪我の発生を抑制することが可能となる。
【００２９】
グリップ部１３は、刃体１２の先端部１４を開閉させるために操作される部分であり、この刃体１２は、常温（たとえば２５℃）において非磁性もしくは弱磁性特性を示す材料により形成されている。グリップ部１３を形成するための非磁性あるいは弱磁性材料としては、たとえばジルコニア、アルミナなどのセラミックス、アルミニウム、チタニウムなどの金属材料、あるいはアクリロニトリル・ブタジエン・スチレン（ABS）、ポリブチレンテレフタレート（PBT）、ポリプロピレン（PP）,ポリアセタール（POM）,ポリカーボネート（PC）,ポリアミド樹脂（PA）などの樹脂材料を挙げることができる。グリップ部１３は、例示した材料のうち、アルミニウムにより形成するのが好ましい。グリップ部１３をアルミニウムにより形成すれば、グリップ部１３ひいては鋏１の全体を軽量かつ安価に形成することが可能となる。
【００３０】
グリップ部１３がアルミニウムにより形成される場合には、グリップ部１３にマグネシウムまたはシリコンを含有させてもよい。そうすれば、グリップ部１３の酸化を抑制し、グリップ部１３における耐食性を向上させることができる。グリップ部１３は、使用者によって操作される部分であるが、医療現場においては、使用者の手に薬剤が付着していることがある。そのため、グリップ部１３の耐食性を向上させることにより、医療現場において使用される鋏１であっても、鋏１の寿命を長く維持することが可能となる。このような効果を適切に得るためには、グリップ部１３におけるマグネシウム含有量は、たとえば０〜０．５ｗｔ％とされ、シリコン含有量は、たとえば１．０〜１５．０ｗｔ％とされる。
【００３１】
図２に示したようにグリップ部１３には、ストラップ３が装着されている。ストラップ３は、鋏１が不容易に落下しないようにするためのものであり、伸縮部３０の端部３１にクリップ３２および連結紐３３が固定されたものである。クリップ３２は、衣服のポケットの縁などを挟み込むことによってストラップ３ひいては鋏１を衣服などに付属させるためのものである。連結紐３３は、ストラップ３を鋏１に装着するためのものであり、グリップ部１３の貫通孔１３Ａに連結されている。伸縮部３０は、クリップ３２による固定部分と鋏１との間を連結しつつ、それらの間の距離変動を許容するものであり、エラストマなどの樹脂によってコイル状に形成されている。
【００３２】
軸体１１は、一対の鋏片１０を回動可能に連結するものであり、一対の鋏片１０と同様に、常温（２５℃）において、非磁性もしくは弱磁性特性を示す材料により形成されている。軸体１１を形成するための非磁性あるいは弱磁性材料としては、たとえばジルコニア、アルミナなどのセラミックス、チタニウム、銅合金（黄銅、りん青銅）、アルミニウム、Ａ５０５２（マグネシウム系）や超超ジェラルミンＡ７０５０等のアルミニウム合金などの金属材料、あるいはポリカーボネート（PC）、ガラス繊維強化ポリアミド樹脂（PA）、ポリブチレンテレフタレート（PBT）、ポリエーテルエーテルケトン、ポリフェニレンサルファイド（PPS）などの樹脂材料を挙げることができる。軸体１１は、例示した材料のうち、アルミニウムにより形成するのが好ましい。軸体１１をアルミニウムにより形成すれば、鋏１の軽量化および低コスト化に寄与することができる。
【００３３】
軸体１１がアルミニウムにより形成される場合には、軸体１１にマグネシウムまたはシリコンを含有させてもよい。そうすれば、軸体１１の酸化を抑制して軸体１１の耐食性を向上させることができるため、長期間に亘って刃体１２の回動状態を適切に維持することが可能となる。そのため、鋏１が薬液等の液体に晒されやすい医療現場において使用される場合であっても、鋏１の寿命を長く維持することが可能となる。このような効果を適切に得るためには、クリップ部におけるマグネシウム含有量は、たとえば１．０〜１０．０ｗｔ％とされ、シリコン含有量は、たとえば０〜１．０ｗｔ％とされる。
【００３４】
本発明に係る鋏１は、一対の鋏片１０および軸体１１が、常温において非磁性もしくは弱磁性特性を示す材料によって形成されている。そのため、鋏１が全体として非磁性体もしくは弱磁性体となっている。その結果、ＭＲＩ室等のような大きな磁場が発生する室内においても、高磁場に起因する鋏１の飛翔を抑制することができる。したがって、本発明に係る鋏１は、高磁場の室内に鋏１を持ち込んだ場合の危険性を低減することが可能となる。
【符号の説明】
【００３５】
１  （医療用）鋏
１０  鋏片
１１  軸体
１２  刃体
１３  グリップ部
１４  （鋏片の）先端部
１６  切刃部
１７  非切刃部
Ｗ  （ガイド部の）幅寸法
【図１】
2010172572.tif 000003
【図２】
2010172572.tif 000004
【図３】
2010172572.tif 000005
【図４】
2010172572.tif 000006